(57)【要約】【課題】原稿の良好な読み込みを行うことが可能な原稿読み取り装置、及び原稿読み取り方法を提供する。【解決手段】原稿を白黒画像として読み取りを行う際に、白黒画像読み取り部及びカラー画像読み取り部で原稿の読み取りを行い、カラー画像読み取り部で取得したカラー画像情報を色空間変換し、色空間変換後のカラー画像情報のみで検出された境を追加する為の濃度補正を白黒画像情報に施す。また、原稿読み取り装置の光路上にフィルタを設置すると共に、白黒画像読み取り部で当該フィルタを利用するか否かの選択を可能とし、フィルタを利用するか否かに応じて画像情報に適切な補正を施す。  【選択図】  図２
2006262304.tif 000002
【特許請求の範囲】
【請求項１】
原稿から白黒画像情報を取得する白黒画像読み取り部と、
前記原稿からカラー画像情報を取得するカラー画像読み取り部と、
前記カラー画像情報の境を検出する濃度変化検知・判定部と、
前記白黒画像情報の濃度を補正して前記境を明確にする補正を行う濃度補正部と
を具備することを特徴とする原稿読み取り装置。
【請求項２】
前記カラー画像情報を色空間変換する色空間変換部をさらに具備し、
前記濃度変化検知・判定部は、色空間変換後の前記カラー画像情報から境を検出する
ことを特徴とする請求項１記載の原稿読み取り装置。
【請求項３】
前記白黒画像読み取り部は、ＲＧＢ成分の何れかを読み取って前記白黒画像情報を取得する
ことを特徴とする請求項１乃至３記載の原稿読み取り装置。
【請求項４】
原稿から白黒画像情報を取得する白黒画像読み取り部と、
前記原稿からカラー画像情報を取得するカラー画像読み取り部と、
前記原稿と前記白黒画像読み取り部との間の光路上に設置可能なフィルタと、
前記原稿の読み取りを行う際の条件に応じて、前記光路上に前記フィルタが設置された状態とする駆動部と
を具備することを特徴とする原稿読み取り装置。
【請求項５】
原稿から白黒画像読み取り部で白黒画像情報を取得し、
前記原稿からカラー画像読み取り部でカラー画像情報を取得し、
前記カラー画像情報の境を濃度変化検知・判定部で検出し、
前記白黒画像情報の濃度を濃度補正部で補正して前記境を明確にする補正を行う
を具備することを特徴とする原稿読み取り方法。
【発明の詳細な説明】
【技術分野】
【０００１】
本発明は、原稿読み取り装置、及び原稿読み取り方法に関し、特に、原稿を良好に読み取ることが可能な原稿読み取り装置、及び原稿読み取り方法に関する。
【背景技術】
【０００２】
自動原稿搬送装置（ＡＤＦ）を有する原稿読み取り装置では、原稿に付着したごみが原稿読み取り位置のコンタクトガラスを汚したり、付着したりすると、画像の読み取り結果（画像情報）にスジ状のノイズが発生する。
【０００３】
このようなノイズを除去する方法としては、複数の画像読み取り手段で原稿の読み取りを行い、取得した画像情報を比較してノイズの除去を行う方法が提案されている（例えば、特許文献１参照）。
【０００４】
ここで図５は、光学素子の構成の一例を示す概略概念図である。同図(ａ)に示すように光学素子１００には、ＣＣＤ(Charge Coupled Devices)などの素子を用い、「フィルタなし」（光学素子にフィルタが設けられていない状態）で原稿の読み取りを行って白黒画像情報を取得する白黒画像読み取り部１０１と、「Ｒ(赤)」「Ｇ(緑)」「Ｂ(青)」の各フィルタを介して各フィルタ毎に素子で原稿の読み取りを行ってカラー画像情報を取得するカラー画像読み取り部１０２とが設けられている。
【０００５】
そして、白色ランプを露光光源とし、実際に白黒原稿を読み取って取得した画像情報を比較する場合は、白黒画像読み取り部とカラー画像読み取り部の両者の分光特性が同等であることが好ましい。
【０００６】
このため、原稿を高速に送りながらスキャンするＣＶＴ(Constant Velocity Transport)方式などでは、原稿を読み込む際に発生する黒筋・白筋を検知・補正するため、「フィルタなし」のラインに「Ｇ」フィルタをかけ、図５(ｂ)に示すように、「Ｒ」「Ｇ」「Ｂ」「Ｇ」の４ラインの光学素子１００を用いて原稿の読み取りを行っていた。
【特許文献１】特開２００２−２７１６３１号公報
【発明の開示】
【発明が解決しようとする課題】
【０００７】
しかし、白黒画像読み取り手段にフィルタをかけた場合、白黒画像のダイナミックレンジが低下し、Ｓ／Ｎ(signal/noise)比の低下を招いていた。
【０００８】
また、本来は色によって識別可能な濃度の境界が認識できなくなる場合があった。
【０００９】
そこで本発明では、原稿の良好な読み込みを行うことが可能な原稿読み取り装置、及び原稿読み取り方法を提供することを目的とする。
【課題を解決するための手段】
【００１０】
本発明における原稿読み取り装置は、原稿から白黒画像情報を取得する白黒画像読み取り部と、前記原稿からカラー画像情報を取得するカラー画像読み取り部と、前記カラー画像情報の境を検出する濃度変化検知・判定部と、前記白黒画像情報の濃度を補正して前記境を明確にする補正を行う濃度補正部とを具備する。
【００１１】
また、前記カラー画像情報を色空間変換する色空間変換部をさらに具備し、前記濃度変化検知・判定部は、色空間変換後の前記カラー画像情報から境を検出する。
【００１２】
また、前記白黒画像読み取り部は、ＲＧＢ成分の何れかを読み取って前記白黒画像情報を取得する。
【００１３】
また、本発明における原稿読み取り装置は、原稿から白黒画像情報を取得する白黒画像読み取り部と、前記原稿からカラー画像情報を取得するカラー画像読み取り部と、前記原稿と前記白黒画像読み取り部との間の光路上に設置可能なフィルタと、前記原稿の読み取りを行う際の条件に応じて、前記光路上に前記フィルタが設置された状態とする駆動部とを具備する。
【００１４】
次に、本発明における原稿読み取り方法は、原稿から白黒画像読み取り部で白黒画像情報を取得し、前記原稿からカラー画像読み取り部でカラー画像情報を取得し、前記カラー画像情報の境を濃度変化検知・判定部で検出し、前記白黒画像情報の濃度を濃度補正部で補正して前記境を明確にする補正を行う。
【発明の効果】
【００１５】
本発明では、原稿を読み取って取得した画像情報に適切な処理を施すことができる。
【発明を実施するための最良の形態】
【００１６】
以下、本発明に係る原稿読み取り装置、及び原稿読み取り方法を実施するための最良の形態について、添付図面を参照して詳細に説明する。
【実施例１】
【００１７】
図１は、本発明における画像読み取り装置の構成の一例を示す機能ブロック図である。同図に示すように原稿読み取り装置１には、ＡＤＦ１０と、露光光源１１と、光学素子１２と、駆動部１３と、信号処理部１４と、画像情報記憶部１５と、制御部１６と、制御プログラム記憶部１７と、モード設定部１８と、色空間変換部１９と、濃度変化検知・判定部２０と、濃度補正部２１とが設けられており、シリアルケーブルなどの通信インターフェイス(Ｉ／Ｆ)２２を介して、ＰＣ(personal computer)など、画像読み取り装置で取得した画像情報の処理を行う情報処理装置２と接続している。
【００１８】
ここでＡＤＦ１０は、原稿の読み取りを行うために複数の原稿を順次送り出す自動原稿送り装置である。
【００１９】
露光光源１１は、白色ランプなど、原稿を走査して読み取りを行う際に照射する光の光源である。
【００２０】
光学素子(ＣＣＤ)１２は、図５(ａ)に示すように「Ｒ(赤)」「Ｇ(緑)」「Ｂ(青)」「フィルタなし」の４ラインを有し、原稿を走査した光を各ライン毎に受光して、受光した光を各ライン毎に信号に変換する。
【００２１】
駆動部１３は、ドライブモータなどの駆動手段である。
【００２２】
信号処理部１４は、光学素子１６で変換した信号を処理する画像処理回路を具備し、原稿を走査して読み取った信号から光学特性に基づく特有のムラなどを取り除く処理を行う。
【００２３】
画像情報記憶部１５は、原稿を走査して取得した画像情報を一時的に記憶する。
【００２４】
制御部１６は、ＣＰＵ(Central Processing Unit)などの演算装置からなり、画像読み取り装置全体を制御するための処理を行う。
【００２５】
制御プログラム記憶部１７は、メモリなどの記憶装置であり、制御部１６で画像読み取り装置全体を制御するためのプログラムを記憶する。
【００２６】
モード設定部１８は、原稿を白黒原稿として読み取りを行うか、カラー原稿として読み取りを行うかのモードを設定する。
【００２７】
なお、このモード設定は、例えば、原稿読み取り装置の図示しない操作部を用いて行う方法や、情報処理装置２を介して行う方法など、任意の設定方法を用いて行うことができる。
【００２８】
色空間変換部１９は、図５に示すカラー画像読み取り部で取得したカラー画像情報を別の色表現の画像情報に変換する。例えば、ＲＧＢで色表現される画像情報（カラー画像情報）をＬ*ａ*ｂ*やＹＣｂＣｒで色表現される画像情報に変換する。
【００２９】
濃度変化検知・判定部２０は、色空間変換部１９で変換されたカラー画像情報の濃度変化を検知し、この濃度変化が閾値を越えていると「境」であると判断する。
【００３０】
濃度補正部２１は、輝度変化が閾値を越えている白黒画像情報の「境」を検出し、当該白黒画像情報では「境」として検出されず（輝度変化が閾値以下）、色空間変換後のカラー画像情報では「境」として検出された個所を当該白黒画像情報に加えるため、白黒画像情報の濃度を加減算する処理を行う。
【００３１】
上記構成を用いて本実施例における画像読み取り装置では、白黒原稿として原稿の読み取りを行う際に、白黒画像情報及びカラー画像情報を取得し、白黒画像情報で境として検出されず、カラー画像情報で境として検出された個所を当該白黒画像情報に加えるための補正を行う。
【００３２】
なお、図１において点線で囲まれた部分（モード設定部１８、色空間変換部１９、濃度変化検知・判定部２０、濃度補正部２１）は、ソフトウェア等により実現される部分である。
【００３３】
図２は、原稿読み取り装置における処理の流れを示すフローチャートである。
【００３４】
まず、原稿を白黒画像とカラー画像のどちらとして読み取りを行うかを示す画像読み取りモードを設定し（ステップ１００）、原稿の読み取り開始が指示される（ステップ１０１）と、画像読み取りモードが白黒画像読み取りモードであるか否かの判断を行う（ステップ１０２）。
【００３５】
そして、白黒画像読み取りモードではない（カラー画像読み取りモードである）と判断する（ステップ１０２でＮＯ）と、カラー画像読み取り部である「Ｒ」「Ｇ」「Ｂ」の各ラインを用いて原稿の読み取りを行い（ステップ１０３）、取得したカラー画像情報を情報処理装置に送信する（ステップ１０４）。
【００３６】
一方、ステップ１０２において白黒画像読み取りモードであると判断する（ステップ１０２でＹＥＳ）と、カラー画像読み取り部である「Ｒ」「Ｇ」「Ｂ」の各ラインの少なくとも１つ（好ましくは「Ｇ」ライン）と、白黒画像読み取り部である「フィルタなし」のラインとで原稿の読み取りを行う（ステップ１０５）。
【００３７】
ここで、カラー画像読み取部で取得したカラー画像情報に対して、色表現を変換する色空間変換を行い（ステップ１０６）、色空間変換後のカラー画像情報において濃度変化が閾値を越えている個所（境）を検出する（ステップ１０７）。
【００３８】
また、白黒画像読み取り部で取得した白黒画像情報において濃度変化が閾値を越えている個所（境）を検出し（ステップ１０８）、色空間変換後のカラー画像情報と白黒画像情報の境が一致するか否かの判断を行う（ステップ１０９）。
【００３９】
そして、両方の画像情報における境が全て一致すると判断する（ステップ１０９でＹＥＳ）と、原稿から取得した白黒画像情報を情報処理装置に送信する（ステップ１０４）。
【００４０】
一方、ステップ１０９において境の全てが一致しない（少なくとも一部が異なる）と判断する（ステップ１０９でＮＯ）と、色空間変化後のカラー画像情報で検出した境が白黒画像情報においても明確になるように白黒画像情報の濃度を補正し（ステップ１１０）、補正後の白黒画像情報を情報処理装置に送信する（ステップ１０４）。
【００４１】
境を明確にするための補正としては、例えば、重なり合っている画像の一方又は両方の濃度を加減する方法や、境の濃淡を周囲の画像と異ならせる方法など、境が明確になる補正の方法であれば任意の方法を用いることができる。
【００４２】
このように本発明では、カラー画像情報を色空間変換し、この画像情報において境が検出されれば、白黒画像情報に当該境を明確にする補正を行う。
【００４３】
このため、輝度成分と色成分の少なくとも一方で境が検出されれば、この境が白黒画像情報に反映され、色によって識別可能な濃度の境界を認識することが可能となる。
【００４４】
ところで本実施例では、光学素子に「Ｒ」「Ｇ」「Ｂ」「フィルタなし」の４ラインを設けているが、「フィルタなし」のラインにＧフィルタを設置した「Ｒ」「Ｇ」「Ｂ」と「Ｇ」の４ラインとしてもよい。
【００４５】
また、原稿を載置する原稿台ガラス側などにフィルタを設置し、原稿の露光光をこのフィルタを介して「フィルタなし」のラインで受光してもよく、以下、実施例２を用いて詳細に説明する。
【実施例２】
【００４６】
図３は、本実施例における画像読み取り装置の構成の一例を示す概略構成図である。同図に示すように、画像読み取り装置１には、ＡＤＦ１０と、露光光源１１と、光学素子１２と、信号処理部１４と、白基準板２３と、原稿台ガラス２４と、レンズ２５と、反射鏡部２６と、Ｇフィルタ２７とが設けられている。
【００４７】
なお、図１の機能ブロック図で説明した部分と共通な機能を果たす部分には、図１で使用した符号と同一の符号を付して、その詳細な説明を省略する。
【００４８】
白基準板２３は、光学特性などに伴って原稿を走査する際に発生する特有の出力変化を補正するための基準である。
【００４９】
原稿台ガラス２４は、読み取りを行う原稿を載置する。
【００５０】
レンズ２５は、原稿を走査した光を光学素子１３に入射する。
【００５１】
反射鏡部２６は、原稿を走査した光を反射鏡で反射してレンズ２５に送る。
【００５２】
Ｇフィルタ２７は、露光台ガラス２４の白色基板２３近傍に当該白色基板に沿う様に設置されている（図３(ａ)参照）。
【００５３】
そして、図１に示す画像読み取り装置のモード設定部１８では、原稿を白黒原稿又はカラー原稿として読み取りを行うモード設定に加えて、白黒原稿として原稿の読み取りを行うモードが設定された場合は、さらにＧフィルタを用いて原稿の読み取りを行うか否かの設定を行う。
【００５４】
上記構成を用いて本実施例における画像読み取り装置では、原稿をＡＤＦにセットし、原稿を白黒原稿としてフィルタを介して読み取る画像読み取りモードが設定されると、露光台ガラスのフィルタ設置個所で原稿の読み取りを行う。
【００５５】
図４は、原稿読み取り装置における処理の流れを示すフローチャートである。
【００５６】
まず、画像読み取りモードを設定し（ステップ２００）、ＡＤＦに原稿がセットされて読み取り開始が指示される（ステップ２０１）と、画像読み取りモードが白黒画像読み取りモードであるか否かの判断を行う（ステップ２０２）。
【００５７】
そして、白黒画像読み取りモードではない（カラー画像読み取りモードである）と判断する（ステップ２０２でＮＯ）と、カラー画像読み取り部を用いて通常の画像読み取り位置で原稿の読み取りを行う（ステップ２０３）。
【００５８】
一方、ステップ２０２において白黒画像読み取りモードであると判断する（ステップ２０２でＹＥＳ）と、フィルタを利用するか否かの判断を行い（ステップ２０４）、フィルタを利用しないと判断する（ステップ２０４でＮＯ）と、白黒画像読み取り部及びカラー画像読み取り部を用いて通常の画像読み取り位置で原稿の読み取りを行う（ステップ２０３）。
【００５９】
また、ステップ２０４においてフィルタを利用すると判断する（ステップ２０４でＹＥＳ）と、原稿読み取り位置を露光台がラスに設置されているフィルタの位置に応じて原稿読み取り位置を変更し（ステップ２０５）、白黒画像読み取り部及びカラー画像読み取り部を用いてフィルタに応じて変更された画像読み取り位置で原稿の読み取りを行う（ステップ２０３）。
【００６０】
なお、本実施例では、露光台ガラスに設置されているフィルタに応じて画像読み取り位置を変更しているが、ＡＤＦを用いた通常の画像読み取り位置にフィルタを設置するように構成してもよい。
【００６１】
また、図３(ｂ)に示すように、反射鏡１５とレンズ２５との間など、光路上にフィルタを設置してもよく、この構成では、ＡＤＦを利用しない通常の原稿読み取り時においても、フィルタの利用を選択することができる。
【００６２】
さらに本実施例では、従来の「フィルタなし」のラインに「Ｇ」フィルタを設置しているが、「Ｒ」や「Ｂ」フィルタでもよい。ただし、「Ｇ」フィルタは他のフィルタに比べてレンジを広くとることが可能であり、また、白黒画像に対する透過率が高いことから、他のフィルタに比べて、「Ｇ」フィルタが好ましい。
【００６３】
加えて、本実施例で取得した画像情報に対して、フィルタの有無を問わずに先に実施例１で説明した方法で補正を行うように構成してもよく、さらにまた、フィルタを利用した場合は、先に実施例１で説明した方法を用いてカラー画像情報及び白黒画像情報の処理を行い、フィルタを利用しない場合は、カラー画像情報と白黒画像情報とを比較し、原稿読み取り時に発生する黒筋・白筋を検知・補正する処理を白黒画像情報に施すように構成してもよい。
【００６４】
ここで本実施例では、白黒画像読み取りモード設定時に白黒画像読み取り部及びカラー画像読み取り部で原稿の読み取りを行っているが、白黒画像読み取り部のみで原稿の読み取りを行ってもよい。
【００６５】
このように本実施例では、光路上にフィルタを設置するため、白黒画像読み取り部で原稿を読み取る際にフィルタを利用するか否かを選択することができる。
【００６６】
また、フィルタ利用時のダイナミックレンジ低下に伴うＳ／Ｎ比の減少によって、画像欠陥が発生する場合などは、フィルタなしで画像の読み取りを行うことが可能であり、原稿に適した方法で読み取りを行うことができる。
【００６７】
さらに、フィルタを利用を問わず、またはフィルタを利用するか否かに応じてそれぞれ適切な処理を画像情報に施すことが可能であり、原稿の読み取り方法に応じた適切な補正を白黒画像情報に施すことができる。
【図面の簡単な説明】
【００６８】
【図１】本発明における画像読み取り装置の構成の一例を示す機能ブロック図
【図２】原稿読み取り装置における処理の流れを示すフローチャート
【図３】実施例２における画像読み取り装置の構成の一例を示す概略構成図
【図４】原稿読み取り装置における処理の流れを示すフローチャート
【図５】光学素子の構成の一例を示す概略概念図
【符号の説明】
【００６９】
１…画像読み取り装置
２…情報処理装置
１０…ＡＤＦ
１１…露光光源
１２…光学素子
１３…駆動部
１４…信号処理部
１５…画像情報記憶部
１６…制御部
１７…制御プログラム記憶部
１８…モード設定部
１９…色空間変換部
２０…濃度変化検知・判定部
２１…濃度補正部
２２…通信Ｉ／Ｆ
２３…白基準板
２４…原稿台ガラス
２５…レンズ
２６…反射鏡部
２７…フィルタ
１００…光学素子
１０１…白黒画像読み取り部
１０２…カラー画像読み取り部
【図１】
2006262304.tif 000003
【図２】
2006262304.tif 000004
【図３】
2006262304.tif 000005
【図４】
2006262304.tif 000006
【図５】
2006262304.tif 000007